(57)【要約】【課題】  従来の偽輪郭を低減する手法は、新たなノイズが発生したり、回路規模が大きくなるといった課題があった。【解決手段】  １フィールドを重み付けされた複数のサブフィールドに分割し、該複数のサブフィールドを組み合わせて表示パネルに多階調表示を行う画像表示装置であって、入力画像信号から現フィールドと該現フィールドより以前のフィールドとから動き量を検出する動き量検出回路（５０）と、前記入力画像信号の階調と前記検出された動き量に基づいて、偽輪郭ノイズを周辺に拡散するための拡散量を演算する拡散量演算回路５２と、前記演算された拡散量により拡散処理を行う拡散回路５３とを備えるように構成する。【選択図】      図８
2006064743.tif 000002
【特許請求の範囲】
【請求項１】
１フィールドを重み付けされた複数のサブフィールドに分割し、該複数のサブフィールドを組み合わせて表示パネルに多階調表示を行う画像表示装置であって、
入力画像信号から現フィールドと該現フィールドより以前のフィールドとから動き量を検出する動き量検出回路と、
前記入力画像信号の階調と前記検出された動き量に基づいて、偽輪郭ノイズを周辺に拡散するための拡散量を演算する拡散量演算回路と、
該拡散量演算回路により演算された拡散量で拡散処理を行う拡散回路とを備えることを特徴とする画像表示装置。
【請求項２】
請求項１に記載の画像表示装置において、さらに、前記検出された動き量が所定の閾値以上の場合、該動き量を所定の値に固定する動き量固定回路を備え、前記拡散量演算回路は、前記固定された動き量と前記入力画像信号の階調に基づいて前記拡散量を演算することを特徴とする画像表示装置。
【請求項３】
請求項１に記載の画像表示装置において、前記拡散量演算回路は、前記動き量の所定の比例係数と前記入力画像信号の階調に基づいた拡散係数から前記拡散量を演算することを特徴とする画像表示装置。
【請求項４】
請求項１に記載の画像表示装置において、前記拡散量演算回路は、前記動き量が所定の閾値以上の場合、前記動き量の所定の比例係数と前記入力画像信号の階調に基づいた拡散係数から前記拡散量を演算し、且つ、前記動き量が前記所定の閾値よりも小さい場合、前記拡散量を零にすることを特徴とする画像表示装置。
【請求項５】
請求項１に記載の画像表示装置において、前記拡散量演算回路は、前記動き量が所定の閾値以上の場合、
動き量をＭＶとし、所定の閾値をＴＤとし、動き量の所定の比例係数をｍとして、｛Ｍ  Ｖ−ＴＤ｝×ｍ、並びに、前記入力画像信号の階調を基にした拡散係数から前記拡散量を演算することを特徴とする画像表示装置。
【請求項６】
１フィールドを重み付けされた複数のサブフィールドに分割し、該複数のサブフィールドを組み合わせて表示パネルに多階調表示を行う画像表示装置であって、
入力画像信号から所定の階調数の信号を生成するメインパスと、
該メインパスより少ない階調数の信号を生成するサブパスと、
前記メインパスの生成信号と前記サブパスの生成信号のいずれか一方を切り換えて出力するパススイッチ回路と、
前記入力画像信号から現フィールドと該現フィールドより以前のフィールド間で動いている領域を検出し、動いている量である動き量を出力する動き量検出回路と、
前記メインパスで動画偽輪郭の発生する場合の偽輪郭の強さのレベル量を検出するレベル検出回路と、
前記検出した動き量と前記検出したレベル量に基づいて所定の設定値と比較し、動画領域で且つ偽輪郭発生強度が強い階調を判定するサブパス判定回路と、
該サブパス判定回路の判定結果により前記パススイッチ回路を前記メインパスの出力から前記サブパスの出力に切り換えるサブパススイッチと、
偽輪郭ノイズを周辺に拡散する拡散量を演算するための前記入力画像信号の階調に依存した拡散係数を生成する拡散係数生成回路と、
前記動き量と前記拡散係数に基づいて拡散量を演算する拡散量演算回路と、
該拡散量演算回路により演算された拡散量で拡散処理を行う拡散回路とを備え、前記サブパススイッチと前記拡散量を制御して偽輪郭を低減することを特徴とする画像表示装置。
【請求項７】
１フィールドを重み付けされた複数のサブフィールドに分割し、該複数のサブフィールドを組み合わせて表示パネルに多階調表示を行う画像表示装置であって、
入力画像信号から所定の階調数の信号を生成するメインパスと、
該メインパスより少ない階調数の信号を生成するサブパスと、
前記入力画像信号に対して拡散処理を施した信号を生成する拡散処理パスと、
前記メインパスの生成信号、前記サブパスの生成信号または前記拡散処理パスの生成信号のいずれか１つを切り換えて出力するパススイッチ回路と、
前記入力画像信号から現フィールドと該現フィールドより以前のフィールド間で動いている領域を検出し、動いている量である動き量を出力する動き検出回路と、
前記メインパスで動画偽輪郭の発生する場合の偽輪郭の強さのレベル量を検出するレベル検出回路と、
前記検出した動き量と前記検出したレベル量に基づいて所定の設定値と比較し、動画領域で且つ偽輪郭発生強度が強い階調を判定するパス切り換え判定回路と、
該サブパス判定回路の判定結果により前記パススイッチ回路を前記メインパスの出力、前記サブパスの出力または前記拡散処理パスのいずれか１つに切り換えるパス切り換え回路と、
偽輪郭ノイズを周辺に拡散する拡散量を演算するための前記入力画像信号の階調に依存した拡散係数を生成する拡散係数生成回路と、
前記動き量と前記拡散係数に基づいて拡散量を演算する拡散量演算回路と、
該拡散量演算回路により演算された拡散量で拡散処理を行う拡散回路とを備え、前記パス切り換え回路と前記拡散量を制御して偽輪郭を低減することを特徴とする画像表示装置。
【請求項８】
１フィールドを重み付けされた複数のサブフィールドに分割し、該複数のサブフィールドを組み合わせて表示パネルに多階調表示を行う画像表示装置の駆動方法であって、
入力画像信号から現フィールドと該現フィールドより以前のフィールドとから動き量を検出する動き量検出段階と、
前記入力画像信号の階調と前記検出された動き量に基づいて、偽輪郭ノイズを周辺に拡散するための拡散量を演算する拡散量演算段階と、
前記演算された拡散量により拡散処理を行う拡散段階とを備えることを特徴とする画像表示装置の駆動方法。
【請求項９】
１フィールドを重み付けされた複数のサブフィールドに分割し、該複数のサブフィールドを組み合わせて表示パネルに多階調表示を行い、入力画像信号から所定の階調数の信号を生成するメインパスと、該メインパスより少ない階調数の信号を生成するサブパスと、前記メインパスの生成信号と前記サブパスの生成信号のいずれか一方を切り換えて出力するパススイッチング段階とを備える画像表示装置の駆動方法であって、
前記入力画像信号から現フィールドと該現フィールドより以前のフィールド間で動いている領域を検出し、動いている量である動き量を出力する動き量検出段階と、
前記メインパスで動画偽輪郭の発生する場合の偽輪郭の強さのレベル量を検出するレベル検出段階と、
前記検出した動き量と前記検出したレベル量に基づいて所定の設定値と比較し、動画領域で且つ偽輪郭発生強度が強い階調を判定するサブパス判定段階と、
該サブパス判定段階の判定結果により前記パススイッチング段階を前記メインパスの出力から前記サブパスの出力に切り換えるサブパススイッチング段階と、
偽輪郭ノイズを周辺に拡散する拡散量を演算するための前記入力画像信号の階調に依存した拡散係数を生成する拡散係数生成段階と、
前記動き量と前記拡散係数に基づいて拡散量を演算する拡散量演算段階と、
前記拡散量により拡散処理を行う拡散段階とを備え、前記サブパススイッチと前記拡散量を制御して偽輪郭を低減することを特徴とする画像表示装置の駆動方法。
【請求項１０】
１フィールドを重み付けされた複数のサブフィールドに分割し、該複数のサブフィールドを組み合わせて表示パネルに多階調表示を行い、入力画像信号から所定の階調数の信号を生成するメインパスと、該メインパスより少ない階調数の信号を生成するサブパスと、前記入力画像信号に対して拡散処理を施した信号を生成する拡散処理パスと、前記メインパスの生成信号、前記サブパスの生成信号または前記拡散処理パスの生成信号のいずれか１つを切り換えて出力するパススイッチング段階とを備える画像表示装置の駆動方法であって、
前記入力画像信号から現フィールドと該現フィールドより以前のフィールド間で動いている領域を検出し、動いている量である動き量を出力する動き検出段階と、
前記メインパスで動画偽輪郭の発生する場合の偽輪郭の強さのレベル量を検出するレベル検出段階と、
前記検出した動き量と前記検出したレベル量に基づいて所定の設定値と比較し、動画領域で且つ偽輪郭発生強度が強い階調を判定するパス切り換え判定段階と、
該サブパス判定段階の判定結果により前記パススイッチング段階を前記メインパスの出力、前記サブパスの出力または前記拡散処理パスのいずれか１つに切り換えるパス切り換え段階と、
偽輪郭ノイズを周辺に拡散する拡散量を演算するための前記入力画像信号の階調に依存した拡散係数を生成する拡散係数生成段階と、
前記動き量と前記拡散係数に基づいて拡散量を演算する拡散量演算段階と、
該拡散量演算段階により演算された拡散量で拡散処理を行う拡散段階とを備え、前記パス切り換え段階と前記拡散量を制御して偽輪郭を低減することを特徴とする画像表示装置の駆動方法。
【発明の詳細な説明】
【技術分野】
【０００１】
本発明は、画像表示装置およびその駆動方法に関し、特に、プラズマディスプレイパネル（ＰＤＰ：Plasma Display Panel）等の１フィールドを重み付けされた複数のサブフィールドに分割し、その複数のサブフィールドを組み合わせて表示パネルに多階調表示を行う画像表示装置およびその駆動方法に関する。
【０００２】
近年、表示装置の大型化に伴って薄型の表示装置が要求され、各種類の薄型の表示装置が提供されている。例えば、ディジタル信号のままで表示するマトリックスパネル、すなわち、ＰＤＰ等のガス放電パネルや、ＤＭＤ（Digital Micromirror Device）、ＥＬ（Electro-Luminescence）表示素子、蛍光表示管、液晶表示素子等のマトリックスパネル等が提供されている。このような薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスとして実用化に至っている。
【０００３】
例えば、プラズマディスプレイ装置は、各フィールド（フレーム）内に複数の維持放電パルス（サスティンパルス）で構成される重み付けされた複数のサブフィールド（ＳＦ：発光ブロック）を設け、各サブフィールドを点灯または非点灯とすることにより多階調制御して画像表示を行うようになっている。このような複数のサブフィールドの点灯／非点灯を制御して多階調表示を行う画像表示装置においては、動画像の輪郭部に偽輪郭（擬似輪郭）ノイズが発生するため、簡単な構成で偽輪郭の低減を図ることのできる画像表示装置およびその駆動方法の提供が要望されている。
【背景技術】
【０００４】
従来、プラズマディスプレイ装置、液晶表示装置およびＥＬ表示装置等において、１フィールドを所定の輝度比（重み）である複数のサブフィールドに分割し、所定の重みのサブフィールド単位で画像表示セル毎に点灯状態または非点灯状態に符号化し、多階調化制御して画像表示を行う画像表示装置（多階調画像表示装置）が提供されている。このような１フィールドを重み付けされた複数のサブフィールドに分割し、該複数のサブフィールドを組み合わせて表示パネルに多階調表示を行う画像表示装置において、表示パネルの画面サイズや画素数或いは実際に表示される映像（画像）にも起因するが、画像表示装置を見ている者（視聴者）は、表示パネル中を或る速さを超えていて動いている目標物を視線で追いかけた場合、偽輪郭を認識することになる。
【０００５】
この偽輪郭を低減する手法としては、ディザ法や重ね合わせ法或いはパス切り換え法が提案されているが、十分満足の行くものとはいえず、逆に、ディザ法や重ね合わせ法ではハッチ状のノイズが現れたり、また、パス切り換え法ではサブパスの誤差拡散による粒状ノイズが現れるといった副作用が生じることにもなっていた。
【０００６】
従来、１フィールドを重み付けされた複数のサブフィールドに分割し、該複数のサブフィールドを組み合わせて表示パネルに多階調表示を行う画像表示装置であって、フリッカの発生を伴うことなく偽輪郭ノイズの発生を防止するために、１フィールド期間内で各サブフィールド期間のサスティン期間を略同じ長さに設定し、表示パネル上では画像データを０〜Ｎまでの輝度レベルでＮ＋１階調の表現を行うようにした画像表示装置が提案されている。（例えば、特許文献１参照）。
【０００７】
また、従来、１フィールドを重み付けされた複数のサブフィールドに分割し、該複数のサブフィールドを組み合わせて表示パネルに多階調表示を行う画像表示装置であって、偽輪郭ノイズの発生可能性をノイズ量として求め、そのノイズ量の値に基づいて画像において偽輪郭の発生が予測される領域に対して偽輪郭ノイズを低減する拡散処理を行うようにした画像表示装置も提案されている。（例えば、特許文献２参照）。
【０００８】
さらに、従来、１フィールドを重み付けされた複数のサブフィールドに分割し、該複数のサブフィールドを組み合わせて表示パネルに多階調表示を行う画像表示装置であって、偽輪郭を低減すると共にパターンノイズの発生を抑えて動画表示の画質を高めるために、表示画像のうち、重ね合わせ法に係る輝度重みが等しい複数のサブフレームのうち１つのみが点灯する階調の画素で且つ隣接画素間の輝度勾配が設定範囲内の値である領域に限定して重ね合わせ法を適用するようにした画像表示装置も提案されている。（例えば、特許文献３参照）。
【０００９】
【特許文献１】特開平１０−０３１４５５号公報
【特許文献２】特開平１１−２３１８２７号公報
【特許文献３】特開２００２−３７２９４８号公報
【発明の開示】
【発明が解決しようとする課題】
【００１０】
上述したように、従来、１フィールドを重み付けされた複数のサブフィールドに分割し、該複数のサブフィールドを組み合わせて表示パネルに多階調表示を行う画像表示装置においては、偽輪郭の問題があった。偽輪郭を低減する手法としては、ディザ法や重ね合わせ法或いはパス切り換え法が知られているが、例えば、重ね合わせ法では、その重ね合わせの副作用として動いている映像でハッチ状のノイズが認識されてしまうといった問題がある。このハッチ状のノイズは、映像がゆっくり動いている場合は認識されるが、比較的速く動いている場合は認識され難い特性がある。これは、映像が速く動いている場合は、複数の画素にまたがって視線が移動するのでハッチ状のノイズが打ち消されることになるためであると考えられている。
【００１１】
前述した特許文献１では、メインパスとサブパスを切り換えることで偽輪郭を防止することができるが、動画像で動画領域が大きく動きの速さに係らずサブパスの誤差拡散によるノイズが目に付き、さらに、サブパスとメインパスの切り換えショック（メインパスの滑らかな階調表現に対するサブパスの誤差拡散の粒状ノイズ）が大きいため視聴者に画像としての違和感を与えることにもなっていた。
【００１２】
また、特許文献２は、偽輪郭ノイズ検出装置による予測結果に基づいて偽輪郭ノイズが発生する可能性がある領域に偽輪郭ノイズを低減するものであるが、動き検出器の出力を基にした偽輪郭の判定器により複数のサブフィールドに分割された入力画像の各画素に対する周辺画素との間の画素値の論理演算をサブフィールド毎に行い、空間的な偽輪郭の発生場所を検出して偽輪郭低減の変調処理を行うものである。しかしながら、偽輪郭は動画像で且つ所定の階調を表示駆動する場合に発生することが分かっているので、偽輪郭ノイズ検出装置は必要ではなく、動き量を検出できればよく、構成が冗長になっている。
【００１３】
さらに、特許文献３では、動画部特定階調重ね合わせ法によるハッチ状のノイズは低減することができるが、同じ速さで動く映像であっても偽輪郭の目立ちやすさは異なるため、偽輪郭が目立ちやすい映像であって重ね合わせる判定閾値を超えない場合には、重ね合わせが行われないで偽輪郭が認識されることになる。また、偽輪郭が目立ちにくい映像であっても、重ね合わせる判定閾値を超えてしまった場合には、重ね合わせが行われてハッチ状のノイズが認識されてしまうことがある。このハッチ状のノイズの強度は制御することができず、点灯パターンに依存して決まるものである。
【００１４】
このように、偽輪郭を低減するための従来の手法は、いずれも偽輪郭が発生する場所を検出し、そこに変調を加えるようにしているため、回路規模が大きくなって費用も嵩むことになっていた。さらに、従来の手法では、偽輪郭を低減する副作用として新たなノイズが発生するといった問題もあった。
【００１５】
本発明は、上述した偽輪郭を低減するための従来の技術が有する課題に鑑み、新たなノイズの発生や回路規模の増大を伴うことなく、偽輪郭を低減して動画表示の画質向上を可能とする画像表示装置およびその駆動方法の提供を目的とする。
【課題を解決するための手段】
【００１６】
本発明の第１の形態によれば、１フィールドを重み付けされた複数のサブフィールドに分割し、該複数のサブフィールドを組み合わせて表示パネルに多階調表示を行う画像表示装置であって、入力画像信号から現フィールドと該現フィールドより以前のフィールドとから動き量を検出する動き量検出回路と、前記入力画像信号の階調と前記検出された動き量に基づいて、偽輪郭ノイズを周辺に拡散するための拡散量を演算する拡散量演算回路と、該拡散量演算回路により演算された拡散量で拡散処理を行う拡散回路とを備えることを特徴とする画像表示装置が提供される。
【００１７】
本発明の第２の形態によれば、１フィールドを重み付けされた複数のサブフィールドに分割し、該複数のサブフィールドを組み合わせて表示パネルに多階調表示を行う画像表示装置であって、入力画像信号から所定の階調数の信号を生成するメインパスと、該メインパスより少ない階調数の信号を生成するサブパスと、前記メインパスの生成信号と前記サブパスの生成信号のいずれか一方を切り換えて出力するパススイッチ回路と、前記入力画像信号から現フィールドと該現フィールドより以前のフィールド間で動いている領域を検出し、動いている量である動き量を出力する動き量検出回路と、前記メインパスで動画偽輪郭の発生する場合の偽輪郭の強さのレベル量を検出するレベル検出回路と、前記検出した動き量と前記検出したレベル量に基づいて所定の設定値と比較し、動画領域で且つ偽輪郭発生強度が強い階調を判定するサブパス判定回路と、該サブパス判定回路の判定結果により前記パススイッチ回路を前記メインパスの出力から前記サブパスの出力に切り換えるサブパススイッチと、偽輪郭ノイズを周辺に拡散する拡散量を演算するための前記入力画像信号の階調に依存した拡散係数を生成する拡散係数生成回路と、前記動き量と前記拡散係数に基づいて拡散量を演算する拡散量演算回路と、該拡散量演算回路により演算された拡散量で拡散処理を行う拡散回路とを備え、前記サブパススイッチと前記拡散量を制御して偽輪郭を低減することを特徴とする画像表示装置が提供される。
【００１８】
本発明の第３の形態によれば、１フィールドを重み付けされた複数のサブフィールドに分割し、該複数のサブフィールドを組み合わせて表示パネルに多階調表示を行う画像表示装置であって、入力画像信号から所定の階調数の信号を生成するメインパスと、該メインパスより少ない階調数の信号を生成するサブパスと、前記入力画像信号に対して拡散処理を施した信号を生成する拡散処理パスと、前記メインパスの生成信号、前記サブパスの生成信号または前記拡散処理パスの生成信号のいずれか１つを切り換えて出力するパススイッチ回路と、前記入力画像信号から現フィールドと該現フィールドより以前のフィールド間で動いている領域を検出し、動いている量である動き量を出力する動き検出回路と、前記メインパスで動画偽輪郭の発生する場合の偽輪郭の強さのレベル量を検出するレベル検出回路と、前記検出した動き量と前記検出したレベル量に基づいて所定の設定値と比較し、動画領域で且つ偽輪郭発生強度が強い階調を判定するパス切り換え判定回路と、該サブパス判定回路の判定結果により前記パススイッチ回路を前記メインパスの出力、前記サブパスの出力または前記拡散処理パスのいずれか１つに切り換えるパス切り換え回路と、偽輪郭ノイズを周辺に拡散する拡散量を演算するための前記入力画像信号の階調に依存した拡散係数を生成する拡散係数生成回路と、前記動き量と前記拡散係数に基づいて拡散量を演算する拡散量演算回路と、該拡散量演算回路により演算された拡散量で拡散処理を行う拡散回路とを備え、前記パス切り換え回路と前記拡散量を制御して偽輪郭を低減することを特徴とする画像表示装置が提供される。
【００１９】
本発明の第４の形態によれば、１フィールドを重み付けされた複数のサブフィールドに分割し、該複数のサブフィールドを組み合わせて表示パネルに多階調表示を行う画像表示装置の駆動方法であって、入力画像信号から現フィールドと該現フィールドより以前のフィールドとから動き量を検出する動き量検出段階と、前記入力画像信号の階調と前記検出された動き量に基づいて、偽輪郭ノイズを周辺に拡散するための拡散量を演算する拡散量演算段階と、前記演算された拡散量により拡散処理を行う拡散段階とを備えることを特徴とする画像表示装置の駆動方法が提供される。
【００２０】
本発明の第５の形態によれば、１フィールドを重み付けされた複数のサブフィールドに分割し、該複数のサブフィールドを組み合わせて表示パネルに多階調表示を行い、入力画像信号から所定の階調数の信号を生成するメインパスと、該メインパスより少ない階調数の信号を生成するサブパスと、前記メインパスの生成信号と前記サブパスの生成信号のいずれか一方を切り換えて出力するパススイッチング段階とを備える画像表示装置の駆動方法であって、前記入力画像信号から現フィールドと該現フィールドより以前のフィールド間で動いている領域を検出し、動いている量である動き量を出力する動き量検出段階と、前記メインパスで動画偽輪郭の発生する場合の偽輪郭の強さのレベル量を検出するレベル検出段階と、前記検出した動き量と前記検出したレベル量に基づいて所定の設定値と比較し、動画領域で且つ偽輪郭発生強度が強い階調を判定するサブパス判定段階と、該サブパス判定段階の判定結果により前記パススイッチング段階を前記メインパスの出力から前記サブパスの出力に切り換えるサブパススイッチング段階と、偽輪郭ノイズを周辺に拡散する拡散量を演算するための前記入力画像信号の階調に依存した拡散係数を生成する拡散係数生成段階と、前記動き量と前記拡散係数に基づいて拡散量を演算する拡散量演算段階と、前記拡散量により拡散処理を行う拡散段階とを備え、前記サブパススイッチと前記拡散量を制御して偽輪郭を低減することを特徴とする画像表示装置の駆動方法が提供される。
【００２１】
本発明の第６の形態によれば、１フィールドを重み付けされた複数のサブフィールドに分割し、該複数のサブフィールドを組み合わせて表示パネルに多階調表示を行い、入力画像信号から所定の階調数の信号を生成するメインパスと、該メインパスより少ない階調数の信号を生成するサブパスと、前記入力画像信号に対して拡散処理を施した信号を生成する拡散処理パスと、前記メインパスの生成信号、前記サブパスの生成信号または前記拡散処理パスの生成信号のいずれか１つを切り換えて出力するパススイッチング段階とを備える画像表示装置の駆動方法であって、前記入力画像信号から現フィールドと該現フィールドより以前のフィールド間で動いている領域を検出し、動いている量である動き量を出力する動き検出段階と、前記メインパスで動画偽輪郭の発生する場合の偽輪郭の強さのレベル量を検出するレベル検出段階と、前記検出した動き量と前記検出したレベル量に基づいて所定の設定値と比較し、動画領域で且つ偽輪郭発生強度が強い階調を判定するパス切り換え判定段階と、該サブパス判定段階の判定結果により前記パススイッチング段階を前記メインパスの出力、前記サブパスの出力または前記拡散処理パスのいずれか１つに切り換えるパス切り換え段階と、偽輪郭ノイズを周辺に拡散する拡散量を演算するための前記入力画像信号の階調に依存した拡散係数を生成する拡散係数生成段階と、
【００２２】
前記動き量と前記拡散係数に基づいて拡散量を演算する拡散量演算段階と、該拡散量演算段階により演算された拡散量で拡散処理を行う拡散段階とを備え、前記パス切り換え段階と前記拡散量を制御して偽輪郭を低減することを特徴とする画像表示装置の駆動方法が提供される。
【発明の効果】
【００２３】
本発明によれば、新たなノイズの発生や回路規模の増大を伴うことなく、偽輪郭を低減して動画表示の画質向上を可能とする画像表示装置およびその駆動方法を提供することができる。
【発明を実施するための最良の形態】
【００２４】
以下、本発明に係る画像表示装置およびその駆動方法の各実施例を、添付図面を参照して詳述する。
図１は本発明が適用される画像表示装置の一例を概略的に示すブロック図である。図１において、参照符号１はディジタルの映像（画像）信号入力端子、２は水平同期信号，垂直同期信号，表示期間を示す表示期間信号およびクロック信号等の同期信号入力端子、３は多階調化信号処理回路、４はフィールドメモリ、５は駆動制御回路、６はタイミング生成回路、そして、７は表示パネルを示している。
【００２５】
フィールドメモリ４は、２フィールド分の画像データを記憶することができ、１フィールド分のデータを記憶した後、次のフィールド期間でその記憶した１フィールド分の同じサブフィールド（ＳＦ）毎に順次データを読み出すようになっている。タイミング生成回路６は、同期信号等の各種タイミング信号を生成する回路であり、多階調化信号処理回路３に対して端子６Ｔを介してクロック信号ＣＬＫ，水平同期信号Ｈｓｙｎｃおよび垂直同期信号Ｖｓｙｎｃ等を供給するようになっている。なお、表示パネル７は、例えば、プラズマディスプレイパネル（ＰＤＰ）等の表示パネルであり、例えば、各種ドライバ（例えば、三電極交流駆動型ＰＤＰにおけるＸドライバ、Ｙドライバおよびアドレスドライバ）等を含んでいる。
【実施例】
【００２６】
図２は本発明に係る画像表示装置の第１実施例としての多階調化信号処理回路３の一例を示すブロック図である。
多階調化信号処理回路３は、映像信号入力端子１から供給された３原色の映像信号（赤色：Ｒｉ，緑色：Ｇｉ，青色：Ｂｉ）、並びに、タイミング生成回路６から端子６Ｔを介して供給されるクロック信号ＣＬＫ，水平同期信号Ｈｓｙｎｃおよび垂直同期信号Ｖｓｙｎｃ等を受け取り、原色毎に多階調化処理してそれぞれサブフィールドの点灯／非点灯のデータに変換された信号（赤色：Ｒｏ，緑色：Ｇｏ，青色：Ｂｏ）をフィールドメモリ４へ出力する。
【００２７】
すなわち、図２に示されるように、本第１実施例の多階調化信号処理回路３は、原色毎（例えば、赤色：Ｒ）に設けられたパス（メインパス）２０およびＳＦ符号化回路４０、並びに、動き量検出回路５０を備える。動き量検出回路５０は、３原色の入力映像信号（入力画像信号）Ｒｉ，Ｇｉ，Ｂｉおよびタイミング信号（同期信号）ＣＬＫ，Ｈｓｙｎｃ，Ｖｓｙｎｃを受け取って、入力映像信号から画素単位で現フィールドと該現フィールドより以前のフィールドとから動き量ＭＶを検出する。パス２０は、対応する原色の入力映像信号（例えば、Ｒｉ）、タイミング信号、および、動き量検出回路５０で検出された動き量ＭＶを受け取って信号ＭＰをＳＦ符号化回路４０へ出力する。ＳＦ符号化手段４０は、パス２０からの信号ＭＰを受け取って、対応する原色のサブフィールド毎の点灯／非点灯のデータに変換された信号（例えば、Ｒｏ）を出力する。このようなパス２０およびＳＦ符号化回路４０は各原色に対してそれぞれ設けられ、各原色に対するＳＦ符号化された信号Ｒｏ，Ｇｏ，Ｂｏが得られる。
【００２８】
図３は図２に示す多階調化信号処理回路におけるパス（メインパス）２０の一例を示すブロック図である。ここで、以下の記載は、拡散回路がディザの場合を例として説明する。なお、パス２０の構成は、３原色の各信号に関して同様の構成とされており、以下では、主として赤色（Ｒ）を例として説明する。
【００２９】
図３に示されるように、パス２０は、ゲイン制御回路２００、誤差拡散回路２０１、ディザ回路２０２、ディザ切り換え回路２０３およびディザ切り換え判定回路２０４を備えている。ゲイン制御回路２００は、各原色の入力映像信号（Ｒｉ）を受け取ってゲイン制御を行い、そのゲイン制御された映像信号を誤差拡散回路２０１へ供給する。誤差拡散回路２０１は、ゲイン制御された映像信号に対して誤差拡散処理を行い、誤差拡散処理が行われた信号ＭＰＬをディザ回路２０２およびディザ切り換え回路２０３へ供給する。
【００３０】
ディザ回路２０２は、従来から知られているディザ処理を行うもので、このディザ回路２０２によりディザ量ＤＬのディザ処理が行われた信号ＭＰＤもディザ切り換え回路２０３へ供給される。ディザ切り換え判定回路２０４は、動き量検出回路５０で検出された動き量ＭＶに基づいて、その動き量ＭＶが所定の閾値ＴＤ以上の場合は『１』を出力し、また、動き量ＭＶが所定の閾値ＴＤよりも小さい場合には『０』を出力する。ディザ切り換え回路２０３は、ディザ切り換え判定回路２０４の出力に従って、ディザ切り換え判定回路２０４の出力が『０』の時は誤差拡散回路２０１の出力信号ＭＰＬを選択し、また、ディザ切り換え判定回路２０４の出力が『１』の時はディザ回路２０２の出力ＭＰＤを選択して、パス２０の出力信号ＭＰとしてＳＦ符号化回路４０へ供給する。
【００３１】
図４は図２に示す多階調化信号処理回路における動き量検出回路５０の一例を示すブロック図である。
図４に示されるように、動き量検出回路５０は、ＲＧＢマトリクス回路５００、エッジ検出回路５０１、動き領域検出回路５０２および動き量判定回路５０３を備えている。ＲＧＢマトリクス回路５００は、映像信号入力端子１から供給された３原色の映像信号Ｒｉ，Ｇｉ，Ｂｉから輝度信号Ｙを生成してエッジ検出回路５０１および動き領域検出回路５０２へ供給する。動き量判定回路５０３は、エッジ検出回路５０１の出力および動き領域検出回路５０２の出力に基づいて動き量ＭＶを出力する。
【００３２】
ここで、図４では、動き量ＭＶを輝度信号Ｙから判定出力する場合を示しており、ＲＧＢマトリクス回路５００を使用するようになっているが、各原色Ｒ，Ｇ，Ｂの信号毎に動き量を判定出力するように構成してもよい。この場合には、エッジ検出回路５０１、動き領域検出回路５０２および動き量判定回路５０３が原色信号毎にそれぞれ必要になる。
【００３３】
図５は図２に示す多階調化信号処理回路におけるＳＦ符号化回路に記憶されているＳＦ変換データの一例を示す図であり、ＳＦ符号化回路４０に記憶されている符号化変換データテーブルの内容、並びに、レベル量および拡散係数であるディザ係数の一例を示すものである。なお、図５における符号○は点灯を示す。具体的に、図５において、例えば、階調１７はサブフィールドＳＦ１，ＳＦ３およびＳＦ５が点灯し、また、階調８７はサブフィールドＳＦ１〜ＳＦ８が点灯する様子が示されている。さらに、図５において、階調１７ではレベル量（ＬＶ）が３に設定され、また、階調８７ではディザ係数（ＤＫ）が２に設定される様子が示されていて、ディザ量ＤＬはディザ係数ＤＫと所定値Ａとの演算（ＤＬ＝ＤＫ×Ａ）でディザ処理が行われる。そして、図５に示す符号化変換データテーブルによって、パス２０からの信号ＭＰは、１４７の階調に変換されることになる。
【００３４】
ここで、図５において、ＳＦは駆動制御回路５で駆動される順番を示し、ＳＦ１は最初に駆動されるサブフィールドであり、ＳＦ２は２番目に駆動されるサブフィールドであり、ＳＦ９は９番目に駆動されるサブフィールドであり、そして、ＳＦ１０は最後に駆動されるサブフィールドである。なお、各サブフィールドＳＦ１〜ＳＦ１０には重み付けがなされており、ＳＦ１：ＳＦ２：ＳＦ３：ＳＦ４：ＳＦ５：ＳＦ６：ＳＦ７：ＳＦ８：ＳＦ９：ＳＦ１０＝１：２：４：８：１２：１６：２０：２４：２８：３２となるような重み付けがなされている。この各サブフィールドＳＦ１〜ＳＦ１０の重み付けは、サブフィールド間の発光量の比に対応し、例えば、パス２０のゲイン制御回路２００へ供給される入力映像信号（Ｒｉ）の階調数が９ビットで最大階調５１１であった場合には、ゲイン制御回路２００において、１４７／５１１倍にするゲイン制御が行われる。
【００３５】
図６は本発明に係る画像表示装置における駆動制御回路５の駆動シーケンスの一例を示す図である。
図６に示されるように、駆動シーケンスは、例えば、１フィールドを１０個のサブフィールドＳＦ１〜ＳＦ１０に分割し、表示セル毎に発光するサブフィールドを組み合わせて表示を行うようになっている。各サブフィールドＳＦ１〜ＳＦ１０は、それぞれ全表示セルを初期化するリセット期間ＴＳと、全表示セルを表示する画像に対応した状態に設定するアドレス期間ＴＡと、設定された状態に応じて各表示セルを発光させるサスティン期間（維持放電期間）ＴＳとで構成される。ここで、各サブフィールドＳＦ１〜ＳＦ１０のサスティン期間（サスティンパルス数）は、サブフィールド間の発光量（重み付け）の比に相当するもので、前述したように、例えば、ＳＦ１：ＳＦ２：ＳＦ３：ＳＦ４：ＳＦ５：ＳＦ６：ＳＦ７：ＳＦ８：ＳＦ９：ＳＦ１０＝１：２：４：８：１２：１６：２０：２４：２８：３２となるような重み付けの比に応じて決められるようになっている。なお、各サブフィールドＳＦ１〜ＳＦ１０におけるリセット期間ＴＲ、アドレス期間ＴＡおよびサスティン期間ＴＳは、タイミング生成回路６により生成される。
【００３６】
図７は本発明に係る画像表示装置の第２実施例としての多階調化信号処理回路におけるパス（メインパス）２０の他の例を示すブロック図である。
図７と図３との比較から明らかなように、本第２実施例の多階調化信号処理回路３におけるパス２０は、図３を参照して前述した第１実施例におけるディザ回路２０２、ディザ切り換え回路２０３およびディザ切り換え判定回路２０４の代わりに動き適応ディザ回路２０５を設けるようになっている。なお、ゲイン制御回路２００および誤差拡散回路２０１は、前述したものと同様であり、その説明は省略する。
【００３７】
動き適応ディザ回路２０５は、動き量検出回路５０の出力である動き量ＭＶに応じてディザ量を可変させて信号ＭＰをフィールドメモリ４０へ出力する。
図８は図７に示す多階調化信号処理回路のパス２０における動き適応ディザ回路２０５の一例を示すブロック図である。
【００３８】
図８に示されるように、動き適応ディザ回路２０５は、ディザ係数生成回路５１、ディザ量演算回路５２およびディザ回路５３を備えている。ディザ回路５３は、ディザ量加算回路５３１、ディザ量減算回路５３２、水平カウンタ５３３、垂直カウンタ５３４および加減算選択回路５３５で構成されている。誤差拡散回路２０１の出力信号（映像信号）ＭＰＬは、ディザ係数生成回路５１、ディザ量加算回路５３１、ディザ量減算回路５３２および加減算選択回路５３５へ供給されている。
【００３９】
ディザ係数生成回路５１は、拡散するためのディザを適応したい強さの割合で、いわゆる変調量で或るディザ係数ＤＫをディザ量演算回路５２へ出力する。ここで、図５に示されるように、階調に対して所定の変調量が出力されるように構成してもよい。ディザ量演算回路５２は、動き量検出回路５０の出力である動き量ＭＶとディザ係数ＤＫに基づいて拡散量であるディザ量ＤＬを演算し、ディザ量加算回路５３１およびディザ量減算回路５３２へ出力する。なお、ディザ量演算回路５２におけるディザ量ＤＬの演算は、ＤＬ＝ＭＶ×ＤＫにより行い、その演算されたディザ量ＤＬをディザ回路５３へ出力する。
【００４０】
ディザ量加算回路５３１は、信号ＭＰＬに対してディザ量演算回路５２で演算されたディザ量ＤＬを加算し、また、ディザ量減算回路５３２は、信号ＭＰＬに対してディザ量演算回路５２で演算されたディザ量ＤＬを減算する。加減算選択回路５３５は、水平カウンタ５３３および垂直カウンタ５３４の出力に従って、ディザ量加算回路５３１の出力信号、ディザ量減算回路の出力信号、或いは、誤差拡散回路２０１の出力信号ＭＰＬのいずれか一方を選択し、ＳＦ符号化回路４０へ信号ＭＰを出力する。
【００４１】
図９は、図３に示すディザ回路２０２や図８に示す動き適応ディザ回路２０５におけるディザ量演算回路５２で行われる１フィールド内でのディザ演算を説明するための図であり、ディザ演算された結果を示すものである。ここで、図９（ａ）は、水平方向に＋ＤＬと−ＤＬを繰り返し、且つ、垂直方向でも＋ＤＬと−ＤＬを繰り返している。また、図９（ｂ）は、２×２の４画素を１ブロックとし、１ブロック内に＋ＤＬと−ＤＬが１つずつ含まれる所定の規則により＋ＤＬと−ＤＬを切り換えるようになっている。なお、１ブロックの大きさとしては２×２の４画素に限定されず、もっと大きくてもよく、ディザを加減算する＋ＤＬと−ＤＬの総和が零になればよい。
【００４２】
図１０は本発明に係る画像表示装置の駆動方法における階調とディザ係数との関係を説明するための図である。ここで、図１０（ａ）は階調に対してディザ係数ＤＫが固定の場合を示し、図１０（ｂ）は階調に対してディザ係数ＤＫが比例関係の場合を示し、そして、図１０（ｃ）は階調に対してディザ係数ＤＫが対数関係の場合を示している。
図１０（ａ）に示されるように、階調に対してディザ係数ＤＫを固定とした場合は、回路規模を小さく抑えることが可能である。
【００４３】
ところで、人の目は輝度が大きいほど輝度差を認識し難くなるため、例えば、階調３と階調４の輝度差は認識できても、階調１４０と階調１４１の輝度差は認識できなくなる。図１０（ｃ）に示されるように、階調に対してディザ係数ＤＫを対数関係とするのは、ウェーバー・フェヒナーの法則より人の目の輝度に対する感覚は輝度の対数に比例することを考慮したものであり、人の目の輝度に対する感覚には最適なものである。なお、この場合、ディザ係数姿勢回路５１は、例えば、ＲＯＭ等により構成することになる。また、図１０（ｂ）に示されるように、階調に対してディザ係数ＤＫを比例関係とするのは、上述した図１０（ａ）と図１０（ｃ）の中間の場合に相当する。
【００４４】
図１１は図７に示す多階調化信号処理回路３のパス２０における動き適応ディザ回路２０５の他の例を示すブロック図である。なお、図１１に示す動き適応ディザ回路２０５は、階調適応ディザ回路でもある。
【００４５】
図１１に示されるように、動き適応ディザ回路２０５は、ディザ回路５３、ｎ個のディザ階調設定回路５４−１〜５４−ｎ、ｎ個のディザ係数設定回路５５−１〜５５−ｎ、ｎ個のディザ階調比較回路５６−１〜５６−ｎ、ディザ係数選択回路５７およびディザ量演算回路５８を備えている。ここで、ディザ回路５３の構成は、図８を参照して説明したものと同様であり、その説明は省略する。
【００４６】
ディザ階調設定回路５４−１はディザを適応したい１番目の階調を設定するものであり、ディザ階調設定回路５４−２はディザを適応したい２番目の階調を設定するものであり、そして、ディザ階調設定回路５４−ｎはディザを適応したいｎ番目の階調を設定するものである。また、ディザ係数設定回路５５−１は１番目の階調におけるディザ係数を設定するものであり、ディザ係数設定回路５５−２は２番目の階調におけるディザ係数を設定するものであり、そして、ディザ係数設定回路５４−ｎはｎ番目の階調におけるディザ係数を設定するものである。
【００４７】
具体的に、前述した図５に示すＳＦ変換データの場合、ディザ階調設定回路５４−１は階調３を設定すると共にディザ係数設定回路５５−１はディザ係数『１』を設定し、ディザ階調設定回路５４−６は階調４３を設定すると共にディザ係数設定回路５５−６はディザ係数『２』を設定し、そして、ディザ階調設定回路５４−１５は階調１１１を設定すると共にディザ係数設定回路５５−１５はディザ係数『３』を設定する。なお、図５に示すＳＦ変換データの場合、ディザを適応する階調（ディザ係数として、『１』，『２』或いは『３』が記載された階調）の数は１９個（ｎが１９）なので、１９個のディザ階調設定回路５４−１〜５４−１９、ディザ係数設定回路５５−１〜５５−１９およびディザ階調比較回路５６−１〜５６−１９が必要になる。
【００４８】
ここで、ディザを適応する階調は、偽輪郭が認識されやすい階調である。また、ディザ係数は、ディザを適応したい階調に対してディザを適応する強さの割合を表すものであり、このディザ係数は『１』，『２』或いは『３』に限定されるものではない。さらに、ディザを適応する階調は、適用するＳＦ変換データ（駆動シーケンス）により様々に変化し得るものである。
【００４９】
ディザ階調比較回路５６−１〜５６−ｎは、対応するディザ階調設定回路５４−１〜５４−ｎと誤差拡散回路２０１の出力信号（動き適応ディザ回路２０５の入力信号）ＭＰＬとを比較し、両者が一致した場合に『１』を出力し、不一致の場合には『０』を出力する。ディザ係数選択回路５７は、『１』を出力するディザ階調比較回路５６−１〜５６−ｎに対応した信号をディザ量演算回路５８へ出力し、ディザ量演算回路５８は、その『１』を出力するディザ階調比較回路５６−１〜５６−ｎに対応するディザ係数設定回路５５−１〜５５−ｎに設定されたディザ係数を使用してディザ量ＤＬの演算を行う。ここで、ディザ量演算回路５８におけるディザ量ＤＬの演算は、例えば、図１２に示すいずれかの方法を適用して行うことができる。なお、ディザ量演算回路５８におけるディザ量ＤＬの演算は、ＤＬ＝ＭＶＣ×ＤＫにより行い、その演算されたディザ量ＤＬをディザ回路５３へ出力する。すなわち、ディザ量ＤＬを演算する場合、動き量ＭＶを実用に即した演算動き量ＭＶＣに一旦変換し、この演算動き量ＭＶＣを使用してディザ量ＤＬを求める。
【００５０】
図１２は本発明に係る画像表示装置における入力画像信号の動き量ＭＶと演算動き量ＭＶＣとの関係を示す図である。
図１２（ａ）は、動き量ＭＶに対する演算動き量ＭＶＣの第１の演算方法を示す図であり、動き量ＭＶが所定の閾値ＴＤよりも小さい場合は演算動き量ＭＶＣを零とし、動き量ＭＶが所定の閾値ＴＤ以上の場合には演算動き量ＭＶＣを所定の値ＤＦＬに固定するようになっている。図１２（ｂ）は、動き量ＭＶに対する演算動き量ＭＶＣの第２の演算方法を示す図であり、動き量ＭＶおよび演算動き量ＭＶＣを比例関係とするようになっている。
【００５１】
図１２（ｃ）は、動き量ＭＶに対する演算動き量ＭＶＣの第３の演算方法を示す図であり、動き量ＭＶが所定の閾値ＴＤよりも小さい場合は演算動き量ＭＶＣを零とし、動き量ＭＶが所定の閾値ＴＤ以上の場合には動き量ＭＶおよび演算動き量ＭＶＣを比例関係とするようになっている。図１２（ｄ）は、動き量ＭＶに対する演算動き量ＭＶＣの第４の演算方法を示す図であり、動き量ＭＶが所定の閾値ＴＤよりも小さい場合は演算動き量ＭＶＣを零とし、動き量ＭＶが所定の閾値ＴＤ以上の場合には演算動き量ＭＶＣをＭＶ−ＴＤと比例関係とするようになっている。
【００５２】
図１３は発明に係る画像表示装置の第３実施例としての多階調化信号処理回路３の一例を示すブロック図である。図１３において、参照符号１０はサブパス、２０はメインパス、３０はパススイッチ回路、４０はＳＦ符号化回路、そして、５０は動き量検出回路を示している。すなわち、図１３に示す第３実施例は、本発明をパス切り換え法の画像表示装置に適用した場合を示すものである。
【００５３】
図１３と前述した図２との比較から明らかなように、本第３実施例の多階調化信号処理回路３は、原色毎にサブパス１０およびメインパス２０を備え、サブパス１０およびメインパス２０のいずれか一方の出力をパススイッチ回路３０で選択してＳＦ符号化回路４０へ供給するようになっている。ここで、サブパス１０は、入力画像信号を所定の階調レベル（例えば、入力画像信号の階調レベルよりも少ない階調レベル）で表示するためのものであり、また、メインパス２０は、入力画像信号を実表示階調レベルで表示可能である。そして、パススイッチ回路３０は、動き量検出回路５０で検出された動き量ＭＶに従ってサブパス１０またはメインパス２０の一方の出力信号を選択し、ＳＦ符号化回路４０へ出力する。
【００５４】
図１４は図１３に示す多階調化信号処理回路におけるサブパス１０の一例を示すブロック図である。ここで、サブパス回路１０は、偽輪郭が発生しない点灯パターンを使って映像表現をするようになっており、例えば、前述した図５のＳＦ変換データの場合、階調０、１、３、７、１５、２７、４３、６３、８７、１１１、１４７の１１階調を使用し、これらの階調の間は誤差拡散で表現する。
【００５５】
図１４に示されるように、サブパス１０は、歪補正回路１００、ゲイン制御回路１０１、誤差拡散回路１０２およびデータ整合回路１０３を備えている。歪補正回路１００は、サブパス１０の表現可能な階調数が輝度量とは均等には増加しないため、誤差拡散後の表示特性と逆関数の補正を行って、全体として線形の表示特性を得るために補正を行う回路である。ゲイン制御回路１０１は、入力画像信号に対して所定のゲイン係数を乗算して後段の誤差拡散回路１０２において、入力画像信号の全域にわたって誤差拡散処理を行うことができるようにしている。なお、ゲイン制御回路１０１は、一般的な乗算器、或いは、ＲＯＭやＲＡＭ等で構成することができる。
【００５６】
誤差拡散回路１０２は、ゲイン制御回路１０１を介して得られる画像信号に対して誤差拡散を行うことにより、疑似的に中間調を生成して階調数を増加する。データ整合回路１０３は、サブパス１０における輝度レベルを、メインパス２０における輝度レベルに整合させるために設けられている。
【００５７】
図１５は図１３に示す多階調化信号処理回路におけるパススイッチ回路３０の一例を示すブロック図である。
【００５８】
図１５に示されるように、パススイッチ回路３０は、レベル検出回路３００、サブパス判定回路３０１およびサブパススイッチ３０２を備えている。レベル検出回路３００は、偽輪郭が出やすい階調を画素毎に検出し、偽輪郭が発生したときの発生強度（レベル量）ＬＶを出力する。サブパス判定回路３０１は、レベル検出回路３００の出力ＬＶと動き量検出回路５０の出力（動き量）ＭＶに基づいてパス判定信号ＰＳＷを出力する。サブパススイッチ３０２は、サブパス判定回路３０１から入力されたサブパス判定信号ＰＳＷに応じて、例えば、サブパス判定信号ＰＳＷが『１』の場合にはサブパス１０の出力ＳＰを選択し、また、サブパス判定信号ＰＳＷが『０』の場合にはメインパス２０の出力ＭＰを選択して、ＳＦ符号化回路４０へ出力する。
【００５９】
ここで、パス判定信号ＰＳＷは、動き量ＭＶが所定の値ＴＭＰ以上で、且つ、レベル量ＬＶが所定の値ＴＬＰ以上の場合に『１』を出力し、そして、動き量ＭＶが値ＴＭＰよりも小さいか、或いは、レベル量ＬＶが値ＴＬＰよりも小さい場合に『０』を出力する。なお、値ＴＭＰや値ＴＬＰは、表示パネル７の画面サイズや画素数等によって異なり、経験則により決めた値を使用する。具体的に、例えば、前述した図５のＳＦ変換データにおいて、レベル量ＬＶは、階調毎に『０』〜『５』の値が決められている。レベル量ＬＶの『０』〜『５』の値は、偽輪郭が認識される時の強さを示す数値で、『５』は認識される偽輪郭が最も強い場合の階調に設定される。
【００６０】
次に、偽輪郭の発生強度について説明する。動画像において、その映像信号の隣接画素間で所定の階調をまたがった場合、人（画像表示装置を見ている者）は偽輪郭を認識する。ここで、所定の階調とは上下の階調間で桁上がりがあるところで、例えば、図５のＳＦ変換データにでは、階調４，８，１６，２８，４４，６４，８８および１１２である。これらの階調は第１の桁上げ階調で、偽輪郭は強く認識されやすい。また、階調３２，４８，６８，９２および１２０は第２の桁上げ階調で、偽輪郭は認識されやすいが、偽輪郭は第１の階調ほど強くはない。
【００６１】
上述したように、図５において、レベル量ＬＶは、偽輪郭が発生する場合の強さとして５段階で示されており、階調４４，６４，８８および１１２のレベル量ＬＶは『５』とされ、さらに、その１つ上の階調４５，６５，８９および１１３のレベル量ＬＶも『５』とされている。これは、実際の映像信号において隣接画素間で桁上がりがある場合、桁が上がった階調が上記の階調４４，６４、８８或いは１１２であるとは限らないため、その１つ上の階調のレベル量ＬＶも『５』に設定するようになっている。
【００６２】
レベル量ＬＶの『１』以上は、上下の階調で点灯パターンにおいてサブフィールドの桁上がりのある階調であり、レベル量ＬＶの『４』、『３』、『２』、『１』も連続階調で同じレベル量になっている。レベル量ＬＶを検出せずに、隣接画素間で桁上がりが起きている場所を検出してもよい。
【００６３】
図１６は図３に示す本発明に係る画像表示装置の第１実施例としての多階調化信号処理回路におけるパス（メインパス）２０の処理の一例を示すフローチャートであり、ディザ切り換え回路２０３およびディザ切り換え判定回路２０４の処理を説明するためのものである。
【００６４】
まず、ステップ１１０で処理がスタートとすると、ステップ１１１に進んで初期化を行い、ディザ切り換え判定回路２０４は、『０』を出力する。さらに、ステップ１１２に進んで、ディザ切り換え回路２０３は、誤差拡散回路２０１の出力信号ＭＰＬを選択する。次に、ステップ１１３に進んで、動き量ＭＶを検出し、さらに、ステップ１１４で、ディザ量ＤＬの加減算を行う。なお、ディザ係数ＤＫとしては、前述した図１０（ａ）〜図１０（ｃ）の何れを適用してもよいし、図５のディザ係数でもよい。
【００６５】
さらに、ステップ１１５に進んで、動き量ＭＶと所定の閾値（判定閾値）ＴＤとの比較を行う。ステップ１１５において、動き量ＭＶが判定閾値ＴＤよりも小さいと判別されると、ステップ１１６に進んで、ディザ切り換え判定回路２０３は『０』を出力し、さらに、ステップ１１７に進んで、ディザ切り換え回路２０３は誤差拡散回路２０１の出力信号ＭＰＬを選択してステップ１１３に戻る。一方、ステップ１１５において、動き量ＭＶが判定閾値ＴＤ以上であると判別されると、ステップ１１８に進んで、ディザ切り換え判定回路２０３は『１』を出力し、さらに、ステップ１１９に進んで、ディザ切り換え回路２０３はディザ回路２０２の出力信号ＭＰＤを選択してステップ１１３に戻る。ここで、以上の処理は、１画素毎または所定の領域毎に、或いは、各原色信号毎に行われる。なお、ディザ切り換え回路２０３で選択された誤差拡散回路２０１の出力信号ＭＰＬまたはディザ回路２０２の出力信号ＭＰＤは、パス（メインパス）２０の出力信号ＭＰとしてＳＦ符号化回路４０へ供給される。
【００６６】
図１７は図７に示す本発明に係る画像表示装置の第２実施例としての多階調化信号処理回路におけるパス（メインパス）の処理の一例を示すフローチャートであり、動き適応ディザ回路２０５の処理を説明するためのものである。ここで、動き量ＭＶと演算動き量ＭＶＣとの関係は図１２（ｃ）を適用する。なお、ディザ係数ＤＫとしては、前述した図１０（ａ）〜図１０（ｃ）の何れを適用してもよいし、図５のディザ係数でもよい。
【００６７】
まず、ステップ１２０で処理がスタートとすると、ステップ１２１に進んで初期化行い、ディザ量ＤＬ＝０とし、ディザ量０の加減算を行う。すなわち、ステップ１２１では、ディザ量の加減算は行わないことになる。次に、ステップ１２２に進んで、動き量ＭＶを検出し、さらに、ステップ１２３に進んで、動き量ＭＶと判定閾値ＴＤとの比較を行う。
【００６８】
ステップ１２３において、動き量ＭＶが判定閾値ＴＤよりも小さいと判別されると、ステップ１２４に進んで演算動き量ＭＶＣ＝０とし、ステップ１２６に進む。一方、ステップ１２３において、動き量ＭＶが判定閾値ＴＤ以上であると判別されると、ステップ１２５に進んで演算動き量ＭＶＣ＝ｍ×ＭＶを演算し、ステップ１２６に進む。ここで、ｍは動き量ＭＶと演算動き量ＭＶＣの比例係数である。
【００６９】
そして、ステップ１２６では、ディザ量ＤＬ＝ＤＫ×ＭＶＣを演算し、さらに、ディザ量ＤＬの加減算を行う。なお、動き適応ディザ回路２０５の出力信号ＭＰは、パス（メインパス）２０の出力信号ＭＰとしてＳＦ符号化回路４０へ供給される。
【００７０】
なお、図１７のフローチャートにおいて、動き量ＭＶと演算動き量ＭＶＣとの関係が図１２（ｄ）の場合、ステップ１２５における演算動き量ＭＶＣの演算は、ＭＶＣ＝ｍ×（ＭＶ−ＴＤ）により求めることになる。
【００７１】
図１８は図１３に示す本発明に係る画像表示装置の第３実施例としての多階調化信号処理回路における処理の一例を示すフローチャートであり、メインパス２０の処理を説明するためのものである。ここで、ディザ係数ＤＫとしては、前述した図１０（ａ）〜図１０（ｃ）或いは図５のディザ係数の何れを適用してもよく、また、動き量ＭＶと演算動き量ＭＶＣとの関係は図１２（ａ）〜図１２（ｄ）の何れを適用してもよい。
【００７２】
まず、ステップ１３０で処理がスタートとすると、ステップ１３１に進んで初期化行い、ディザ量演算回路５８（図１１参照）によりディザ量ＤＬ＝０にすると共に、サブパス判定回路３０１の出力信号（パス判定信号）ＰＳＷを『０』にする。次に、ステップ１３２に進んで、ディザ量ＤＬの加減算を行い、サブパススイッチ３０２は、メインパス２０の出力信号ＭＰを選択する。
【００７３】
ステップ１３３において、動き量検出回路５０が動き量ＭＶを検出し、また、ステップ１３４において、レベル検出回路３００がレベル量ＬＶを検出し、ステップ１３５に進んで、レベル量ＬＶは零かどうかを判別する。
【００７４】
ステップ１３５において、レベル量ＬＶが零であると判別されるか、或いは、ステップ１３５でレベル量ＬＶが零ではないと判別され、且つ、ステップ１３６でｐＭＶ＋ｑＬＶがＳＰｓｅｌよりも小さいと判別されると、それぞれステップ１３９進んで、動き量ＭＶと所定の閾値（判定閾値）ＴＤとの比較を行う。一方、ステップ１３５でレベル量ＬＶが零ではないと判別され、且つ、ステップ１３６でｐＭＶ＋ｑＬＶがＳＰｓｅｌ以上であると判別されると、ステップ１３７に進む。
【００７５】
ステップ１３５におけるレベル量ＬＶが零かどうかの判定は、サブパス判定回路３０１において行われる。また、ステップ１３６におけるｐおよびｑは、動き量ＭＶおよびレベル量ＬＶを演算する時のそれぞれのバランスを取るための係数であり、さらに、ＳＰｓｅｌは判定閾値ある。ここで、ｐＭＶ＋ｑＬＶが大きいということは、動き量ＭＶが大きくて偽輪郭が出やすい階調を示し、この場合、サブパススイッチ３０２は、サブパス１０の出力ＳＰを選択する。
【００７６】
ステップ１３７では、ディザ量ＤＬの演算を行うと共に、サブパス判定回路３０１は『１』のパス判定信号ＰＳＷを出力し、さらに、ステップ１３８に進んで、ディザ量ＤＬの加減算を行うと共に、サブパススイッチ３０２はサブパス１０の出力信号ＳＰを選択して、ステップ１３３に戻る。すなわち、ステップ１３８では、サブパススイッチ３０２でサブパスを選択することになるため、結局のところディザ切り換え回路２０３はどちらを選択しても影響はないことになる。また、ステップ１３５のレベル量ＬＶが零かどうかの判定は、動き量ＭＶがいくら大きくても偽輪郭が出ない階調の場合、サブパス１０に切り換えても意味がないないので（一般的に、階調数が少ないサブパス１０に切り換えると粒状ノイズが多くなり画質を劣化するので）、レベル量ＬＶが零の場合にはサブパス１０の出力信号ＳＰを選択しないようにするためのものである。
【００７７】
ステップ１３９において、動き量ＭＶが判定閾値ＴＤ以上であると判別されると、ステップ１３Ａに進んで、ディザ量ＤＬの演算を行うと共に、サブパス判定回路３０１は『０』のパス判定信号ＰＳＷを出力し、さらに、ステップ１３Ｂに進んで、ディザ量ＤＬの加減算を行うと共に、サブパススイッチ３０２はメインパス２０の出力信号ＭＰを選択して、ステップ１３３に戻る。
【００７８】
一方、ステップ１３９において、動き量ＭＶが判定閾値ＴＤよりも小さいと判別されると、ステップ１３Ｃに進んで、ディザ量ＤＬ＝０にすると共に、サブパス判定回路３０１は『０』のパス判定信号ＰＳＷを出力し、さらに、ステップ１３Ｄに進んで、ディザ量ＤＬの加減算を行うと共に、サブパススイッチ３０２はメインパス２０の出力信号ＭＰを選択して、ステップ１３３に戻る。
【００７９】
このように、画素単位でサブパス１０の出力信号ＳＰ，メインパス２０でディザの加減算を行った出力信号ＭＰＤおよびメインパス２０でディザの加減算を行わない出力信号ＭＰＬの３つの中の１つを、動き量ＭＶ，レベル量ＬＶおよびディザ係数ＤＫに基づいて選択して切り換えることにより、偽輪郭が発生する場所に対して拡散および変調させて周辺に散らすことで偽輪郭を低減させることが可能になる。動き量ＭＶに基づいて拡散および変調させているので、人が認識する偽輪郭の発生の強さを、人が動いている目標物を追いかける速さ、つまり動いている物の速さが大きいほど強く認識されるように制御することができ、動いている速さ或いは動き量に応じてディザ量を強弱することにより、過変調若しくは変調不足になることを回避することができる。
【００８０】
図１９は本発明に係る画像表示装置の第４実施例としての多階調化信号処理回路におけるパス（メインパス）２０のさらに他の例を示すブロック図である。
図１９と前述した図３との比較から明らかなように、誤差拡散回路２０１とディザ回路２０２，ディザ切り換え回路２０３およびディザ切り換え判定回路２０４との配置は、入れ替えることができる。すなわち、本第４実施例では、図３においてゲイン制御回路２００の直ぐ後に設けた誤差拡散回路２０１を、ディザ切り換え回路２０３の後に設けるようになっている。
【００８１】
図２０は本発明に係る画像表示装置の第５実施例としての多階調化信号処理回路３の一例を示すブロック図である。図２０において、参照符号１０はサブパス、２１はメインパス、２２は拡散パス、３１はパススイッチ回路、４０はＳＦ符号化回路、そして、５０は動き量検出回路を示している。
【００８２】
図２０と前述した図１３との比較から明らかなように、本第５実施例の多階調化信号処理回路３は、原色毎にサブパス１０、メインパス２１および拡散パス２２を備え、サブパス１０、メインパス２１または拡散パス２２のいずれか１つの出力をパススイッチ回路３１で選択してＳＦ符号化回路４０へ供給するようになっている。ここで、サブパス１０は、入力画像信号を所定の階調レベル（例えば、入力画像信号の階調レベルよりも少ない階調レベル）で表示するためのものであり、また、メインパス２１は、入力画像信号を実表示階調レベルで表示可能である。
【００８３】
サブパス１０は、図１３に示すサブパス１０と同様の構成とされ、信号ＳＰを出力する。メインパス２１は、入力画像信号を受け取って信号ＭＰＧを拡散パス２２へ出力すると共に、信号ＭＰＬをパススイッチ回路３１へ出力する。動き検出回路５０も、図１３に示す動き検出回路５０と同様の構成とされ、動き量ＭＶを出力する。
【００８４】
拡散パス２２は、メインパス２１の出力信号ＭＰＧおよび動き検出回路５０の出力信号（動き量）ＭＶを受け取り、動き量ＭＶに応じた拡散処理を施した信号ＭＰＤを出力する。パススイッチ回路３１は、動き量検出回路５０で検出された動き量ＭＶに従ってサブパス１０の出力信号ＳＰ、メインパス２１の出力信号ＭＰＬまたは拡散パス２２の出力信号ＭＰＤいずれか１つを選択してＳＦ符号化回路４０へ信号ＰＳＯとして出力する。なお、ＳＦ符号化回路４０も、図１３に示すＳＦ符号化回路４０と同様の構成とされている。
【００８５】
図２１は図２０に示す多階調化信号処理回路におけるメインパス２１の一例を示すブロック図である。
図２１から明らかなように、メインパス２１は、ゲイン制御回路２００および誤差拡散回路２０１を備え、ゲイン制御回路２００の出力信号ＭＰＧが拡散パス２２へ供給され、誤差拡散回路２０１の出力信号ＭＰＬがパススイッチ回路３１へ供給されている。
【００８６】
図２２は図２０に示す多階調化信号処理回路におけるパススイッチ回路３１の一例を示すブロック図である。
図２２に示されるように、パススイッチ回路３１は、レベル検出回路３００、パス切り換え判定回路３０３およびパス切り換え回路３０４を備えている。レベル検出回路３００は、図１３に示すレベル検出回路３００と同様の機能を有し、誤差拡散回路２０１の出力信号ＭＰＬに基づいてレベル量ＬＶをパス切り換え判定回路３０３へ出力する。パス切り換え判定回路３０３は、レベル検出回路３００のからのレベル量ＬＶおよび動き量検出回路５０からの動き量ＭＶに基づいてパス切り換え回路３０４でパスを切り換えるための制御信号ＰＳＷを出力する。そして、パス切り換え回路３０４は、パス切り換え判定回路３０３の出力信号ＰＳＷに従って、入力されたサブパス１０の出力信号ＳＰ、メインパス２１の出力信号ＭＰＬまたは拡散パス２２の出力信号ＭＰＤいずれか１つを選択してＳＦ符号化回路４０へ信号ＰＳＯとして出力する。
【００８７】
すなわち、パス切り換え判定回路３０３の出力信号ＰＳＷの値は『０』、『１』および『２』であり、パス切り換え回路３０４は、ＰＳＷの値が『０』のときはメインパス２１の出力信号ＭＰＬを選択し、ＰＳＷの値が『１』のときは拡散パス２２の出力信号ＭＰＤを選択し、そして、ＰＳＷの値が『２』のときはサブパス１０の出力信号ＳＰを選択する。
【００８８】
図２３は図２０に示す多階調化信号処理回路における拡散パス２２の一例を示すブロック図である。
図２３に示されるように、拡散パス２２は、誤差拡散回路２０１および動き適応ディザ回路２０５を備えている。ここで、誤差拡散回路２０１は、上述したメインパス２１における誤差拡散回路２０１と同様の機能を有するものである。動き適応ディザ回路２０５は、動き検出回路５０の出力である動き量ＭＶに基づいてディザ量ＤＬを算出し、このディザ量ＤＬを誤差拡散回路２０１の出力に加減算処理して信号ＭＰＤを出力する。なお、動き適応ディザ回路２０５は、前述したディザ回路２０２（例えば、図３または図１９参照）として構成することもできる。
【００８９】
図２４は図２０に示す本発明に係る画像表示装置の第５実施例としての多階調化信号処理回路における処理の一例を示すフローチャートである。ここで、ディザ係数ＤＫとしては、前述した図１０（ａ）〜図１０（ｃ）或いは図５のディザ係数の何れを適用してもよく、また、動き量ＭＶと演算動き量ＭＶＣとの関係は図１２（ａ）〜図１２（ｄ）の何れを適用してもよい。
【００９０】
まず、ステップ２４０で処理がスタートとすると、ステップ２４１に進んで初期化行い、ディザ量演算回路（５８）によりディザ量ＤＬ＝０にすると共に、パス切り換え判定回路３０３は『０』の判定信号ＰＳＷを『０』を出力する。次に、ステップ２４２に進んで、ディザ回路５３によりディザ量ＤＬの加減算を行い、パス切り換え回路３０４は、メインパス２１の出力信号ＭＰＬを選択する。
【００９１】
ステップ２４３において、動き量検出回路５０が動き量ＭＶを検出し、また、ステップ２４４において、レベル検出回路３００がレベル量ＬＶを検出し、ステップ２４５に進んで、レベル量ＬＶは零かどうかを判別する。
【００９２】
ステップ２４５において、レベル量ＬＶが零であると判別されると、ステップ２４Ｃに進む。また、ステップ２４５でレベル量ＬＶが零ではないと判別され、ステップ２４６でｐＭＶ＋ｑＬＶがＳＰｓｅｌ以上ではないと判別され、さらに、ステップ２４９でｐＭＶ＋ｑＬＶがＳＰｓｅｌ２以上ではないと判別されると（ｐＭＶ＋ｑＬＶ＜ＳＰｓｅｌ２＜ＳＰｓｅｌ）、ステップ２４Ｃに進む。ここで、ステップ２４６におけるｐおよびｑは、動き量ＭＶおよびレベル量ＬＶを演算する時のそれぞれのバランスを取るための係数であり、さらに、ＳＰｓｅｌおよびＳＰｓｅｌ２は判定閾値である。なお、判定閾値ＳＰｓｅｌおよびＳＰｓｅｌ２の間には、ＳＰｓｅｌ＞ＳＰｓｅｌ２の関係がある。
【００９３】
具体的に、例えば、動き量ＭＶが０〜１５の値であるとし、図５に示す変換データのようにレベル量が０〜５の値であるとした場合、ｐ＝１，ｑ＝３にすると、ｐＭＶとｑＬＶの取り得る最大値は同じになり、パス切り換え判定回路３０３において、動き量とレベル量の演算のバランスは同じになる。また、ｐ＝１，ｑ＝２にすると、ｐＭＶの取り得る値はｑＬＶの取り得る値よりも大きくなるので、パス切り換え判定回路３０３は、動き量を優先にした判定を行うことになる。
【００９４】
そして、ステップ２４Ｃでは、ディザ量ＤＬ＝０にすると共に、パス切り換え判定回路３０３は『０』の判定信号ＰＳＷを出力し、さらに、ステップ２４Ｄに進んで、ディザ量ＤＬの加減算を行うと共に、パス切り換え回路３０４はメインパス２１の出力信号ＭＰＬを選択して、ステップ２４３に戻る。
【００９５】
また、ステップ２４５でレベル量ＬＶが零ではないと判別され且つステップ２４６でｐＭＶ＋ｑＬＶがＳＰｓｅｌ以上であると判別されると（ＳＰｓｅｌ≦ｐＭＶ＋ｑＬＶ）、ステップ２４７に進む。ここで、ｐＭＶ＋ｑＬＶがＳＰｓｅｌ以上である（ＳＰｓｅｌ≦ｐＭＶ＋ｑＬＶ：ｐＭＶ＋ｑＬＶが大きい）ということは、動き量ＭＶが大きくて偽輪郭が出やすい階調を示す。そして、この動き量ＭＶが大きくて偽輪郭が出やすい階調の場合には、ステップ２４７に進んで、ディザ量ＤＬの演算を行うと共に、パス切り換え判定回路３０３は『２』の判定信号ＰＳＷを出力し、さらに、ステップ２４８に進んで、ディザ量ＤＬの加減算を行うと共に、パス切り換え回路３０４はサブパス１０の出力信号ＳＰを選択して、ステップ２４３に戻る。なお、ステップ２４８のように、サブパス１０の出力信号ＳＰを選択する場合には、結局のところディザ量ＤＬを加減算しても影響はないことになる。
【００９６】
さらに、ステップ２４５でレベル量ＬＶが零ではないと判別され且つステップ２４６でｐＭＶ＋ｑＬＶがＳＰｓｅｌ以上ではないと判別されると、ステップ２４９に進むが、このステップ２４９でｐＭＶ＋ｑＬＶがＳＰｓｅｌ２以上であると判別されると（ＳＰｓｅｌ２≦ｐＭＶ＋ｑＬＶ＜ＳＰｓｅｌ）、ステップ２４Ａに進む。ステップ２４Ａでは、ディザ量ＤＬの演算を行うと共に、パス切り換え判定回路３０３は『１』の判定信号ＰＳＷを出力し、さらに、ステップ２４Ｂに進んで、ディザ量ＤＬの加減算を行うと共に、パス切り換え回路３０４は拡散パス（ディザ処理パス）２２の出力信号ＭＰＤを選択して、ステップ２４３に戻る。
【００９７】
以上において、ステップ２４５におけるレベル量０の判定は、動き量がいくら大きくても偽輪郭が出ない階調の場合、サブパスやディザ処理パスに切り換えても意味がないないので（動きが少ない場合には、階調数が少ないサブパスに切り換えると粒状ノイズが多くなったり、或いは、ディザ処理パスに切り換えるとディザ模様が目立ったり画質を劣化するため）、レベル量０の場合には、サブパスやディザ処理パスを選択しないようにしてある。このように、本第５実施例は、動き量ＭＶに基づいてディザ量ＤＬを決定し、また、動き量ＭＶとレベル量ＬＶに基づいてメインパス、サブパスまたはディザ処理パス（拡散パス）を切り換えるようになっている。
【００９８】
図２０〜図２４を参照して説明したように、第５実施例の画像表示装置は、誤差拡散回路の出力信号ＭＰＬに基づいてレベル検出を行うようになっているのに対して、例えば、前述した図１３〜図１８に示す第３実施例の画像表示装置は、誤差拡散処理してさらにディザ処理した出力信号ＭＰに基づいてレベル検出を行っており、加減算するディザ量ＤＬによってレベル検出が異なるが、両方とも偽輪郭を周辺の画素に散らして動画表示の画質を向上させることができる。
【００９９】
図２５は図２０に示す多階調化信号処理回路における拡散パスの変形例を示すブロック図である。
図２５と図２１との比較から明らかなように、本変形例の拡散パス２２は、ディザ回路２０２および誤差拡散回路２０１を備え、ディザ処理の後に誤差拡散を行うようになっている。ここで、ディザ回路２０２は、例えば、図２３に示す動き適応ディザ回路２０５として構成してもよいのはもちろんである。
【０１００】
ところで、偽輪郭は、１個所に集中して偽輪郭を発生させるより、その周辺に弱く偽輪郭を発生させた方が目立ち難いため、メインパス２０（２１）にサブパス１０を１画素置きに挿入することにより、偽輪郭は広く発生するが、弱く発生しているため、それが偽輪郭として認識されなくなる。
【０１０１】
具体的に、例えば、水平画素数が１０２４ドットの４２インチの画面サイズの画像表示装置において、経験上、水平方向へ１フィールド毎に４ドット程度移動している場合に偽輪郭が認識され始め、移動速度が速くなるに従って偽輪郭も強く認識される。すなわち、ゆっくり動いている映像の場合、偽輪郭が認識されることは少なく、認識されたとしても弱い。この場合、パス切り換え法のサブパスの挿入は、階調数が少ないのでサブパスの粒状ノイズが目立ち、また、ディザ法によるディザ係数を大きくした場合も、ディザによるハッチ状のノイズが目立つことになる。そのため、ゆっくり動いている映像の場合は、ディザ法によるディザ係数を小さくしてサブパスを選択しないように制御するのが好ましい。
【０１０２】
逆に、速く動いている映像の場合、パス切り換え法によりサブパスを選択する割合（頻度）を多くしても粒状ノイズは目立たなくなるが、パス切り換え法による偽輪郭低減能力以上に偽輪郭が認識される強さが強くなるため、結果として、偽輪郭低減効果は弱くなる。同様に、ディザ法による偽輪郭低減効果に関しても、ディザ係数を大きくしても限界があるため、速く動いている映像の場合、ディザ法とパス切り換え法を複合させると偽輪郭低減能力が向上するので好ましい。従って、動いている速さに応じてディザ法のディザ係数やパス切り換え法のサブパスを挿入する割合を徐々に変えてゆくのがよい。
【０１０３】
以上において、ＲＧＢの三原色についても、本発明は原色信号毎に回路があれば実現することができるのはもちろんである。また、本発明の適用は、プラズマディスプレイ装置に限定されるものではない。さらに、本発明におけるサブフィールドの重みはデータの重みでもあってもよいが、輝度の重みであってもよい。
【０１０４】
（付記１）
１フィールドを重み付けされた複数のサブフィールドに分割し、該複数のサブフィールドを組み合わせて表示パネルに多階調表示を行う画像表示装置であって、
入力画像信号から現フィールドと該現フィールドより以前のフィールドとから動き量を検出する動き量検出回路と、
前記入力画像信号の階調と前記検出された動き量に基づいて、偽輪郭ノイズを周辺に拡散するための拡散量を演算する拡散量演算回路と、
該拡散量演算回路により演算された拡散量で拡散処理を行う拡散回路とを備えることを特徴とする画像表示装置。
【０１０５】
（付記２）
付記１に記載の画像表示装置において、さらに、前記検出された動き量が所定の閾値以上の場合、該動き量を所定の値に固定する動き量固定回路を備え、前記拡散量演算回路は、前記固定された動き量と前記入力画像信号の階調に基づいて前記拡散量を演算することを特徴とする画像表示装置。
【０１０６】
（付記３）
付記２に記載の画像表示装置において、前記動き量を固定する所定の値は、前記所定の閾値よりも大きいことを特徴とする画像表示装置。
【０１０７】
（付記４）
付記１に記載の画像表示装置において、前記拡散量演算回路は、前記動き量の所定の比例係数と前記入力画像信号の階調に基づいた拡散係数から前記拡散量を演算することを特徴とする画像表示装置。
【０１０８】
（付記５）
付記１に記載の画像表示装置において、前記拡散量演算回路は、前記動き量が所定の閾値以上の場合、前記動き量の所定の比例係数と前記入力画像信号の階調に基づいた拡散係数から前記拡散量を演算し、且つ、前記動き量が前記所定の閾値よりも小さい場合、前記拡散量を零にすることを特徴とする画像表示装置。
【０１０９】
（付記６）
付記１に記載の画像表示装置において、前記拡散量演算回路は、前記動き量が所定の閾値以上の場合、
動き量をＭＶとし、所定の閾値をＴＤとし、動き量の所定の比例係数をｍとして、｛Ｍ  Ｖ−ＴＤ｝×ｍ、並びに、前記入力画像信号の階調を基にした拡散係数から前記拡散量を演算することを特徴とする画像表示装置。
【０１１０】
（付記７）
付記４〜６のいずれか１項に記載の画像表示装置において、前記拡散係数は全ての階調で一定であることを特徴とする画像表示装置。
【０１１１】
（付記８）
付記４〜６のいずれか１項に記載の画像表示装置において、前記拡散係数は前記入力画像信号の階調に対して比例関係であることを特徴とする画像表示装置。
【０１１２】
（付記９）
付記４〜６のいずれか１項に記載の画像表示装置において、前記拡散係数は前記入力画像信号の階調に対して対数関係であることを特徴とする画像表示装置。
【０１１３】
（付記１０）
付記４〜６のいずれか１項に記載の画像表示装置において、前記拡散係数は桁上げ前であることを特徴とする画像表示装置。
【０１１４】
（付記１１）
付記１に記載の画像表示装置において、前記拡散回路は、前記入力画像信号の特定の階調のみに対して拡散処理を行うことを特徴とする画像表示装置。
【０１１５】
（付記１２）
付記１に記載の画像表示装置において、前記拡散回路は、ディザ拡散を行う回路であることを特徴とする画像表示装置。
【０１１６】
（付記１３）
１フィールドを重み付けされた複数のサブフィールドに分割し、該複数のサブフィールドを組み合わせて表示パネルに多階調表示を行う画像表示装置であって、
入力画像信号から所定の階調数の信号を生成するメインパスと、
該メインパスより少ない階調数の信号を生成するサブパスと、
前記メインパスの生成信号と前記サブパスの生成信号のいずれか一方を切り換えて出力するパススイッチ回路と、
前記入力画像信号から現フィールドと該現フィールドより以前のフィールド間で動いている領域を検出し、動いている量である動き量を出力する動き量検出回路と、
前記メインパスで動画偽輪郭の発生する場合の偽輪郭の強さのレベル量を検出するレベル検出回路と、
前記検出した動き量と前記検出したレベル量に基づいて所定の設定値と比較し、動画領域で且つ偽輪郭発生強度が強い階調を判定するサブパス判定回路と、
該サブパス判定回路の判定結果により前記パススイッチ回路を前記メインパスの出力から前記サブパスの出力に切り換えるサブパススイッチと、
偽輪郭ノイズを周辺に拡散する拡散量を演算するための前記入力画像信号の階調に依存した拡散係数を生成する拡散係数生成回路と、
前記動き量と前記拡散係数に基づいて拡散量を演算する拡散量演算回路と、
該拡散量演算回路により演算された拡散量で拡散処理を行う拡散回路とを備え、前記サブパススイッチと前記拡散量を制御して偽輪郭を低減することを特徴とする画像表示装置。
【０１１７】
（付記１４）
付記１３に記載の画像表示装置において、さらに、前記検出された動き量が所定の閾値以上の場合、該動き量を所定の値に固定する動き量固定回路を備え、前記拡散量演算回路は、前記固定された動き量と前記階調に依存した拡散係数に基づいて前記拡散量を演算することを特徴とする画像表示装置。
【０１１８】
（付記１５）
付記１４に記載の画像表示装置において、前記動き量を固定する所定の値は、前記所定の閾値よりも大きいことを特徴とする画像表示装置。
【０１１９】
（付記１６）
付記１３に記載の画像表示装置において、前記拡散量演算回路は、前記動き量の所定の比例係数と前記入力画像信号の階調に依存した拡散係数に基づいて前記拡散量を演算することを特徴とする画像表示装置。
【０１２０】
（付記１７）
付記１３に記載の画像表示装置において、前記拡散量演算回路は、前記動き量が所定の閾値以上の場合、前記動き量の所定の比例係数と前記入力画像信号の階調に基づいた拡散係数から前記拡散量を演算し、且つ、前記動き量が前記所定の閾値よりも小さい場合、前記拡散量を零にすることを特徴とする画像表示装置。
【０１２１】
（付記１８）
付記１３に記載の画像表示装置において、前記拡散量演算回路は、前記動き量が所定の閾値以上の場合、
動き量をＭＶとし、所定の閾値をＴＤとし、動き量の所定の比例係数をｍとして、｛ＭＶ−ＴＤ｝×ｍ、並びに、前記入力画像信号の階調を基にした拡散係数から前記拡散量を演算することを特徴とする画像表示装置。
【０１２２】
（付記１９）
付記１３に記載の画像表示装置において、前記拡散係数は全ての階調で一定であることを特徴とする画像表示装置。
【０１２３】
（付記２０）
付記１３に記載の画像表示装置において、前記拡散係数は前記入力画像信号の階調に対して比例関係であることを特徴とする画像表示装置。
【０１２４】
（付記２１）
付記１３に記載の画像表示装置において、前記拡散係数は前記入力画像信号の階調に対して対数関係であることを特徴とする画像表示装置。
【０１２５】
（付記２２）
付記１３に記載の画像表示装置において、前記拡散係数は桁上げ前であることを特徴とする画像表示装置。
【０１２６】
（付記２３）
付記１３に記載の画像表示装置において、前記拡散回路は、前記入力画像信号の特定の階調のみに対して拡散処理を行うことを特徴とする画像表示装置。
【０１２７】
（付記２４）
付記１３に記載の画像表示装置において、前記拡散回路は、ディザ拡散を行う回路であることを特徴とする画像表示装置。
【０１２８】
（付記２５）
付記１３に記載の画像表示装置において、前記レベル量の設定は桁上げ後であることを特徴とする画像表示装置。
【０１２９】
（付記２６）
付記１３に記載の画像表示装置において、前記サブパス判定回路は、前記動き量および第１の値の積と前記レベル量および第２の値の積との和が第３の値以上の場合、前記メインパスから前記サブパスに切り換えることを特徴とする画像表示装置。
【０１３０】
（付記２７）
付記１３に記載の画像表示装置において、前記サブパス判定回路は、前記動き量および第１の値の積と前記レベル量および第２の値の積との和が第３の値以上で、且つ、該レベル量が零以外の場合、前記メインパスから前記サブパスに切り換えることを特徴とする画像表示装置。
【０１３１】
（付記２８）
１フィールドを重み付けされた複数のサブフィールドに分割し、該複数のサブフィールドを組み合わせて表示パネルに多階調表示を行う画像表示装置であって、
入力画像信号から所定の階調数の信号を生成するメインパスと、
該メインパスより少ない階調数の信号を生成するサブパスと、
前記入力画像信号に対して拡散処理を施した信号を生成する拡散処理パスと、
前記メインパスの生成信号、前記サブパスの生成信号または前記拡散処理パスの生成信号のいずれか１つを切り換えて出力するパススイッチ回路と、
前記入力画像信号から現フィールドと該現フィールドより以前のフィールド間で動いている領域を検出し、動いている量である動き量を出力する動き検出回路と、
前記メインパスで動画偽輪郭の発生する場合の偽輪郭の強さのレベル量を検出するレベル検出回路と、
前記検出した動き量と前記検出したレベル量に基づいて所定の設定値と比較し、動画領域で且つ偽輪郭発生強度が強い階調を判定するパス切り換え判定回路と、
該サブパス判定回路の判定結果により前記パススイッチ回路を前記メインパスの出力、前記サブパスの出力または前記拡散処理パスのいずれか１つに切り換えるパス切り換え回路と、
偽輪郭ノイズを周辺に拡散する拡散量を演算するための前記入力画像信号の階調に依存した拡散係数を生成する拡散係数生成回路と、
前記動き量と前記拡散係数に基づいて拡散量を演算する拡散量演算回路と、
該拡散量演算回路により演算された拡散量で拡散処理を行う拡散回路とを備え、前記パス切り換え回路と前記拡散量を制御して偽輪郭を低減することを特徴とする画像表示装置。
【０１３２】
（付記２９）
付記２８に記載の画像表示装置において、前記パス切り換え判定回路は、第１の設定値および該第１の設定値よりも小さい第２の設定値を備え、前記拡散量演算回路により演算された拡散量が、前記第１の設定値以上の場合には前記サブパスを選択し、該第１の設定値よりも小さく且つ前記第２の設定値以上の場合には前記拡散処理パスを選択し、そして、該第２の設定値よりも小さい場合には前記メインパスを選択することを特徴とする画像表示装置。
【０１３３】
（付記３０）
付記２８に記載の画像表示装置において、前記拡散回路はディザであることを特徴とする画像表示装置。
【０１３４】
（付記３１）
１フィールドを重み付けされた複数のサブフィールドに分割し、該複数のサブフィールドを組み合わせて表示パネルに多階調表示を行う画像表示装置の駆動方法であって、
入力画像信号から現フィールドと該現フィールドより以前のフィールドとから動き量を検出する動き量検出段階と、
前記入力画像信号の階調と前記検出された動き量に基づいて、偽輪郭ノイズを周辺に拡散するための拡散量を演算する拡散量演算段階と、
前記演算された拡散量により拡散処理を行う拡散段階とを備えることを特徴とする画像表示装置の駆動方法。
【０１３５】
（付記３２）
付記３１に記載の画像表示装置の駆動方法において、さらに、前記検出された動き量が所定の閾値以上の場合、該動き量を所定の値に固定する動き量固定段階を備え、前記拡散量演算段階は、前記固定された動き量と前記入力画像信号の階調に基づいて前記拡散量を演算することを特徴とする画像表示装置の駆動方法。
【０１３６】
（付記３３）
付記３２に記載の画像表示装置の駆動方法において、さらに、前記動き量を固定する所定の値は、前記所定の閾値よりも大きいことを特徴とする画像表示装置の駆動方法。
【０１３７】
（付記３４）
付記３１に記載の画像表示装置の駆動方法において、前記拡散量演算段階は、前記動き量の所定の比例係数と前記入力画像信号の階調に基づいた拡散係数から前記拡散量を演算することを特徴とする画像表示装置の駆動方法。
【０１３８】
（付記３５）
付記３１に記載の画像表示装置の駆動方法において、前記拡散量演算段階は、前記動き量が所定の閾値以上の場合、前記動き量の所定の比例係数と前記入力画像信号の階調に基づいた拡散係数から前記拡散量を演算し、且つ、前記動き量が前記所定の閾値よりも小さい場合、前記拡散量を零にすることを特徴とする画像表示装置の駆動方法。
【０１３９】
（付記３６）
付記３１に記載の画像表示装置の駆動方法において、前記拡散量演算段階は、前記動き量が所定の閾値以上の場合、
動き量をＭＶとし、所定の閾値をＴＤとし、動き量の所定の比例係数をｍとして、｛ＭＶ−ＴＤ｝×ｍ、並びに、前記入力画像信号の階調を基にした拡散係数から前記拡散量を演算することを特徴とする画像表示装置の駆動方法。
【０１４０】
（付記３７）
付記３４〜３６のいずれか１項に記載の画像表示装置の駆動方法において、前記拡散係数は全ての階調で一定であることを特徴とする画像表示装置の駆動方法。
【０１４１】
（付記３８）
付記３４〜３６のいずれか１項に記載の画像表示装置の駆動方法において、前記拡散係数は前記入力画像信号の階調に対して比例関係であることを特徴とする画像表示装置の駆動方法。
【０１４２】
（付記３９）
付記３４〜３６のいずれか１項に記載の画像表示装置の駆動方法において、前記拡散係数は前記入力画像信号の階調に対して対数関係であることを特徴とする画像表示装置の駆動方法。
【０１４３】
（付記４０）
付記３４〜３６のいずれか１項に記載の画像表示装置の駆動方法において、前記拡散係数は桁上げ前であることを特徴とする画像表示装置の駆動方法。
【０１４４】
（付記４１）
付記３１に記載の画像表示装置の駆動方法において、前記拡散段階は、前記入力画像信号の特定の階調のみに対して拡散処理を行うことを特徴とする画像表示装置の駆動方法。
【０１４５】
（付記４２）
付記３１に記載の画像表示装置の駆動方法において、前記拡散段階は、ディザ拡散を行うことを特徴とする画像表示装置の駆動方法。
【０１４６】
（付記４３）
１フィールドを重み付けされた複数のサブフィールドに分割し、該複数のサブフィールドを組み合わせて表示パネルに多階調表示を行い、入力画像信号から所定の階調数の信号を生成するメインパスと、該メインパスより少ない階調数の信号を生成するサブパスと、前記メインパスの生成信号と前記サブパスの生成信号のいずれか一方を切り換えて出力するパススイッチング段階とを備える画像表示装置の駆動方法であって、
前記入力画像信号から現フィールドと該現フィールドより以前のフィールド間で動いている領域を検出し、動いている量である動き量を出力する動き量検出段階と、
前記メインパスで動画偽輪郭の発生する場合の偽輪郭の強さのレベル量を検出するレベル検出段階と、
前記検出した動き量と前記検出したレベル量に基づいて所定の設定値と比較し、動画領域で且つ偽輪郭発生強度が強い階調を判定するサブパス判定段階と、
該サブパス判定段階の判定結果により前記パススイッチング段階を前記メインパスの出力から前記サブパスの出力に切り換えるサブパススイッチング段階と、
偽輪郭ノイズを周辺に拡散する拡散量を演算するための前記入力画像信号の階調に依存した拡散係数を生成する拡散係数生成段階と、
前記動き量と前記拡散係数に基づいて拡散量を演算する拡散量演算段階と、
前記拡散量により拡散処理を行う拡散段階とを備え、前記サブパススイッチと前記拡散量を制御して偽輪郭を低減することを特徴とする画像表示装置の駆動方法。
【０１４７】
（付記４４）
付記４３に記載の画像表示装置の駆動方法において、さらに、前記検出された動き量が所定の閾値以上の場合、該動き量を所定の値に固定する動き量固定段階を備え、前記拡散量演算段階は、前記固定された動き量と前記階調に依存した拡散係数に基づいて前記拡散量を演算することを特徴とする画像表示装置の駆動方法。
【０１４８】
（付記４５）
付記４４に記載の画像表示装置の駆動方法において、前記動き量を固定する所定の値は、前記所定の閾値よりも大きいことを特徴とする画像表示装置の駆動方法。
【０１４９】
（付記４６）
付記４３に記載の画像表示装置の駆動方法において、前記拡散量演算段階は、前記動き量の所定の比例係数と前記入力画像信号の階調に依存した拡散係数に基づいて前記拡散量を演算することを特徴とする画像表示装置の駆動方法。
【０１５０】
（付記４７）
付記４３に記載の画像表示装置の駆動方法において、前記拡散量演算段階は、前記動き量が所定の閾値以上の場合、前記動き量の所定の比例係数と前記入力画像信号の階調に基づいた拡散係数から前記拡散量を演算し、且つ、前記動き量が前記所定の閾値よりも小さい場合、前記拡散量を零にすることを特徴とする画像表示装置の駆動方法。
【０１５１】
（付記４８）
付記４３に記載の画像表示装置の駆動方法において、前記拡散量演算段階は、前記動き量が所定の閾値以上の場合、
動き量をＭＶとし、所定の閾値をＴＤとし、動き量の所定の比例係数をｍとして、｛ＭＶ−ＴＤ｝×ｍ、並びに、前記入力画像信号の階調を基にした拡散係数から前記拡散量を演算することを特徴とする画像表示装置の駆動方法。
【０１５２】
（付記４９）
付記４３に記載の画像表示装置の駆動方法において、前記拡散係数は全ての階調で一定であることを特徴とする画像表示装置の駆動方法。
【０１５３】
（付記５０）
付記４３に記載の画像表示装置の駆動方法において、前記拡散係数は前記入力画像信号の階調に対して比例関係であることを特徴とする画像表示装置の駆動方法。
【０１５４】
（付記５１）
付記４３に記載の画像表示装置の駆動方法において、前記拡散係数は前記入力画像信号の階調に対して対数関係であることを特徴とする画像表示装置の駆動方法。
【０１５５】
（付記５２）
付記４３に記載の画像表示装置の駆動方法において、前記拡散係数は桁上げ前であることを特徴とする画像表示装置の駆動方法。
【０１５６】
（付記５３）
付記４３に記載の画像表示装置の駆動方法において、前記拡散段階は、前記入力画像信号の特定の階調のみに対して拡散処理を行うことを特徴とする画像表示装置の駆動方法。
【０１５７】
（付記５４）
付記４３に記載の画像表示装置の駆動方法において、前記拡散段階は、ディザ拡散を行うことを特徴とする画像表示装置の駆動方法。
【０１５８】
（付記５５）
付記４３に記載の画像表示装置の駆動方法において、前記レベル量の設定は桁上げ後であることを特徴とする画像表示装置の駆動方法。
【０１５９】
（付記５６）
付記４３に記載の画像表示装置の駆動方法において、前記サブパス判定段階は、前記動き量および第１の値の積と前記レベル量および第２の値の積との和が第３の値以上の場合、前記メインパスから前記サブパスに切り換えることを特徴とする画像表示装置の駆動方法。
【０１６０】
（付記５７）
付記４３に記載の画像表示装置の駆動方法において、前記サブパス判定段階は、前記動き量および第１の値の積と前記レベル量および第２の値の積との和が第３の値以上で、且つ、該レベル量が零以外の場合、前記メインパスから前記サブパスに切り換えることを特徴とする画像表示装置の駆動方法。
【０１６１】
（付記５８）
１フィールドを重み付けされた複数のサブフィールドに分割し、該複数のサブフィールドを組み合わせて表示パネルに多階調表示を行い、入力画像信号から所定の階調数の信号を生成するメインパスと、該メインパスより少ない階調数の信号を生成するサブパスと、前記入力画像信号に対して拡散処理を施した信号を生成する拡散処理パスと、前記メインパスの生成信号、前記サブパスの生成信号または前記拡散処理パスの生成信号のいずれか１つを切り換えて出力するパススイッチング段階とを備える画像表示装置の駆動方法であって、
前記入力画像信号から現フィールドと該現フィールドより以前のフィールド間で動いている領域を検出し、動いている量である動き量を出力する動き検出段階と、
前記メインパスで動画偽輪郭の発生する場合の偽輪郭の強さのレベル量を検出するレベル検出段階と、
前記検出した動き量と前記検出したレベル量に基づいて所定の設定値と比較し、動画領域で且つ偽輪郭発生強度が強い階調を判定するパス切り換え判定段階と、
該サブパス判定段階の判定結果により前記パススイッチング段階を前記メインパスの出力、前記サブパスの出力または前記拡散処理パスのいずれか１つに切り換えるパス切り換え段階と、
偽輪郭ノイズを周辺に拡散する拡散量を演算するための前記入力画像信号の階調に依存した拡散係数を生成する拡散係数生成段階と、
前記動き量と前記拡散係数に基づいて拡散量を演算する拡散量演算段階と、
該拡散量演算段階により演算された拡散量で拡散処理を行う拡散段階とを備え、前記パス切り換え段階と前記拡散量を制御して偽輪郭を低減することを特徴とする画像表示装置の駆動方法。
【０１６２】
（付記５９）
付記５８に記載の画像表示装置の駆動方法において、前記パス切り換え判定段階は、第１の設定値および該第１の設定値よりも小さい第２の設定値を備え、前記拡散量演算段階により演算された拡散量が、前記第１の設定値以上の場合には前記サブパスを選択し、該第１の設定値よりも小さく且つ前記第２の設定値以上の場合には前記拡散処理パスを選択し、そして、該第２の設定値よりも小さい場合には前記メインパスを選択することを特徴とする画像表示装置の駆動方法。
【０１６３】
（付記６０）
付記５８に記載の画像表示装置の駆動方法において、前記拡散段階はディザであることを特徴とする画像表示装置の駆動方法。
【産業上の利用可能性】
【０１６４】
本発明は、プラズマディスプレイ装置を初めとする画像表示装置に幅広く適用することができ、例えば、パーソナルコンピュータやワークステーション等のディスプレイ装置、平面型の壁掛けテレビジョン、或いは、広告や情報等を表示するための装置として利用される画像表示装置に対して適用することができる。
【図面の簡単な説明】
【０１６５】
【図１】本発明が適用される画像表示装置の一例を概略的に示すブロック図である。
【図２】本発明に係る画像表示装置の第１実施例としての多階調化信号処理回路の一例を示すブロック図である。
【図３】図２に示す多階調化信号処理回路におけるパス（メインパス）の一例を示すブロック図である。
【図４】図２に示す多階調化信号処理回路における動き量検出回路の一例を示すブロック図である。
【図５】図２に示す多階調化信号処理回路におけるＳＦ符号化回路に記憶されているＳＦ変換データの一例を示す図である。
【図６】本発明に係る画像表示装置における駆動制御回路の駆動シーケンスの一例を示す図である。
【図７】本発明に係る画像表示装置の第２実施例としての多階調化信号処理回路におけるパス（メインパス）の他の例を示すブロック図である。
【図８】図７に示す多階調化信号処理回路のパスにおける動き適応ディザ回路の一例を示すブロック図である。
【図９】図８に示す動き適応ディザ回路におけるディザ量演算回路で行われる１フィールド内でのディザ演算を説明するための図である。
【図１０】本発明に係る画像表示装置の駆動方法における階調とディザ係数との関係を説明するための図である。
【図１１】図７に示す多階調化信号処理回路のパスにおける動き適応ディザ回路の他の例を示すブロック図である。
【図１２】本発明に係る画像表示装置における入力画像信号の動き量と演算動き量との関係を示す図である。
【図１３】本発明に係る画像表示装置の第３実施例としての多階調化信号処理回路の一例を示すブロック図である。
【図１４】図１３に示す多階調化信号処理回路におけるサブパスの一例を示すブロック図である。
【図１５】図１３に示す多階調化信号処理回路におけるパススイッチ回路の一例を示すブロック図である。
【図１６】図３に示す本発明に係る画像表示装置の第１実施例としての多階調化信号処理回路におけるパス（メインパス）の処理の一例を示すフローチャートである。
【図１７】図７に示す本発明に係る画像表示装置の第２実施例としての多階調化信号処理回路におけるパス（メインパス）の処理の一例を示すフローチャートである。
【図１８】図１３に示す本発明に係る画像表示装置の第３実施例としての多階調化信号処理回路における処理の一例を示すフローチャートである。
【図１９】本発明に係る画像表示装置の第４実施例としての多階調化信号処理回路におけるパス（メインパス）のさらに他の例を示すブロック図である。
【図２０】本発明に係る画像表示装置の第５実施例としての多階調化信号処理回路の一例を示すブロック図である。
【図２１】図２０に示す多階調化信号処理回路におけるメインパスの一例を示すブロック図である。
【図２２】図２０に示す多階調化信号処理回路におけるパススイッチ回路の一例を示すブロック図である。
【図２３】図２０に示す多階調化信号処理回路における拡散パスの一例を示すブロック図である。
【図２４】図２０に示す本発明に係る画像表示装置の第５実施例としての多階調化信号処理回路における処理の一例を示すフローチャートである。
【図２５】図２０に示す多階調化信号処理回路における拡散パスの変形例を示すブロック図である。
【符号の説明】
【０１６６】
１    映像信号入力端子
２    同期信号入力端子
３    多階調化信号処理回路
４    フィールドメモリ
５    駆動制御回路
６    タイミング生成回路
７    表示パネル
１０    サブパス（メインパス）
２０，２１    パス（メインパス）
２２    拡散パス
３０，３１    パススイッチ回路
４０    ＳＦ符号化回路
５０    動き量検出回路
５１    ディザ係数生成回路
５２，５８    ディザ量演算回路
５３，２０２    ディザ回路
５４−１〜５４−ｎ    ディザ階調設定回路
５５−１〜５５−ｎ    ディザ係数設定回路
５６−１〜５６−ｎ    ディザ階調比較回路
５７    ディザ係数選択回路
１００    歪補正回路
１０１    ゲイン制御回路
１０２    誤差拡散回路
１０３    データ整合回路
２００    ゲイン制御回路
２０１    誤差拡散回路
２０３    ディザ切り換え回路
２０４    ディザ切り換え判定回路
２０５    動き適応ディザ回路
３００    レベル検出回路
３０１    サブパス判定回路
３０２    サブパススイッチ
５００    ＲＧＢマトリクス回路
５０１    エッジ検出回路
５０２    動き領域検出回路
５０３    動き量判定回路
５３１    ディザ量加算回路
５３２    ディザ量減算回路
５３３    水平カウンタ
５３４    垂直カウンタ
５３５    加減算選択回路
【図１】
2006064743.tif 000003
【図２】
2006064743.tif 000004
【図３】
2006064743.tif 000005
【図４】
2006064743.tif 000006
【図５】
2006064743.tif 000007
【図６】
2006064743.tif 000008
【図７】
2006064743.tif 000009
【図８】
2006064743.tif 000010
【図９】
2006064743.tif 000011
【図１０】
2006064743.tif 000012
【図１１】
2006064743.tif 000013
【図１２】
2006064743.tif 000014
【図１３】
2006064743.tif 000015
【図１４】
2006064743.tif 000016
【図１５】
2006064743.tif 000017
【図１６】
2006064743.tif 000018
【図１７】
2006064743.tif 000019
【図１８】
2006064743.tif 000020
【図１９】
2006064743.tif 000021
【図２０】
2006064743.tif 000022
【図２１】
2006064743.tif 000023
【図２２】
2006064743.tif 000024
【図２３】
2006064743.tif 000025
【図２４】
2006064743.tif 000026
【図２５】
2006064743.tif 000027